(57)【要約】【課題】住宅の外壁に取り付けられる縦樋、エアコンダクト、給排水管、電線などの部材を一本のダクト等の収納体内に収納することで住宅の外観を改善しメンテナンス性を向上する配管、配線ダクト等の収納体を提供することを課題とする。【解決手段】  本発明の配管、配線ダクト等の収納体は、断面冂型の長尺の壁取り付け部材と、壁取り付け部を被覆する断面凵型の化粧カバー材とからなり、壁取り付け部の側壁と化粧カバー材の側面部との間に防水パッキンが略全長にわたって配されていることを特徴とする。又、壁取付け部材の底部端縁付近で壁取付け部材と化粧カバー材の端部とが互いに凹凸嵌合することを特徴とするものである。【選択図】図１
2006348623.tif 000002
【特許請求の範囲】
【請求項１】
断面冂型の長尺の壁取り付け部材と、壁取り付け部を被覆する長尺の断面凵型の化粧カバー材とからなり、壁取り付け部材の側壁と化粧カバー材の側面部との間に防水パッキンが略全長にわたって配されている配管、配線ダクト等の収納体。
【請求項２】
上記壁取り付け部材の底部端縁付近で、壁取り付け部材と化粧カバー材の端部が互いに凹凸嵌合するものである請求項１記載の配管、配線ダクト等の収納体。
【請求項３】
上記壁取り付け部材化粧カバー材とで形成される配管、配線収納部内に中仕切りが形成される請求項１ないし２いずれか記載の配管、配線ダクト等の収納体。
【請求項４】
上記中仕切りが壁取り付け部材の断面冂型の平面部の中央部若しくは化粧カバー材の平面部の中央部のいずれか一方にあり、中仕切り材と嵌合する溝部が他方にある請求項３記載の配管、配線ダクト等の収納体。
【請求項５】
上記配管、配線収納部内に取り付けられる中仕切り材が断面Ｔ型である請求項３記載の配管、配線ダクト等の収納体。
【発明の詳細な説明】
【技術分野】
【０００１】
近年二階建て、三階建ての住宅が多くなり二世帯住宅など多様化しており上階に風呂、便所といったものが設置されそのために縦樋の他にエアコン排水ダクト、給排水管、電線ケーブル等外壁に取り付けられる部材が多くなっている。これらは耐候性、防水性を付与するために取り付けられる部材にこれらの部材の保護材が取り付けられ、外壁に多数のダクト状のものが目立つものであり外観を損なっている。
【背景技術】
【０００２】
本発明はこれらを一本のダクト等の収納体内に複数の部材を収納することで住宅の外観を改善し、部材の保護部材が不要となるのでメンテナンス性を向上する配管，配線ダクト等の収納体に関するものである。
【特許文献１】特開２０００−２４０２３６号公報（第５頁、図１）
【発明の開示】
【発明が解決しようとする課題】
【０００３】
上記特許文献に記載されているものは樋の排水構造で、軒樋に蛇腹状の排水管を屈曲自在に設け、その外側から化粧カバーを取り付けてなるもので本願発明のように一本のダクト等の収納体内に複数の配管、電線ケーブルを収納するものではない。すなわち本発明は一本のダクト内に複数の配管、電線ケーブルを収納するものであり、壁取り付け部材と化粧カバー材との間に防水パッキンを配することで取り付けられる部材を雨水などから保護する。そして配管、配線ダクト等の収納体のカバーが容易に開放できるので、メンテナンス性を向上させたものである。
【課題を解決するための手段】
【０００４】
上記課題を解決するために、本発明に係る配管、配線ダクト等の収納体での第一の特徴構成は、請求項１に記載した如く、断面冂型の長尺の壁取り付け部材と、壁取り付け部材を被覆する長尺の断面凵型の化粧カバー材とからなり、壁取り付け部材の側壁と化粧カバー材の側面部との間に防水パッキンが略全長にわたって配されている点にある。
【０００５】
同第二の特徴構成は、請求項２に記載した如く、第一の特徴構成に加えて、壁取り付け部材の底部端縁付近で、壁取り付け部材と化粧カバー材の端部が互いに凹凸嵌合する点にある。
【０００６】
同第三の特徴構成は、請求項3に記載した如く、上記壁取り付け部材と化粧カバー材とで形成される配管、配線収納部内に中仕切りが形成される点にある。
【０００７】
同第四の特徴構成は、請求項４に記載した如く上記中仕切りが壁取り付け部材の断面冂型の平面部の中央部若しくは化粧カバーの平面部の中央部のいずれか一方にあり、中仕切り材と嵌合する溝部が他方にある点にある。
【０００８】
同第五の特徴構成は、請求項５に記載した如く上記配管、配線収納部内に取り付けられる中仕切り材が断面Ｔ型である点にある。
【発明の効果】
【０００９】
請求項１に記載された配管、配線ダクト等の収納体は前記構成であり、壁取り付け部材とそれを被覆する化粧カバー材との間には防水パッキンが存在するので配管、配線収納部内に雨水などが侵入することがない。また各配管、配線ケーブル各々に保護材や化粧材を取り付ける必要のないものである。
【００１０】
請求項２に記載の配管、配線ダクト等の収納体は前記構成であり、壁取り付け部材と化粧カバー材が嵌め合わせで形成されているので外部からは一本のダクト収納体が見えるのみですっきりした外観が得られる。また化粧カバー材は容易に取り外せるのでダクト等の収納体内を点検することが簡単にできる利点がある。
【００１１】
請求項３に記載の配管、配線ダクト等の収納体は前記構成であるので中仕切りにより配管、配線といった異質の部材を収納することができる。しかし各収納部は独立していないので同種の部材を収納するのが好ましい。
【００１２】
請求項４に記載の配管、配線ダクト等の収納体は前記構成であり、中仕切り材が溝部と嵌合するのでダクト等の収納体内が完全に左右に独立したように構成できる。したがって左右の配管、配線収納部に異質の部材を収納することが可能となる。
【００１３】
請求項５に記載の配管、配線ダクト等の収納体は前記構成であり、中仕切り材が断面Ｔ型であるので配管、配線収納部内を三つに分割できるものである。この場合多くの部材を一本の収納体に収納できる。
【発明を実施するための最良の形態】
【００１４】
以下、本発明の実施形態について図面を参照して、詳細に説明する。図１ないし図３は本発明の実施例の一例について示したものである。図１は本発明の配管、配線ダクト等の収納体の一部切欠き斜視図であり、断面冂型の長尺の壁取り付け部材１と、壁取り付け部材１を被覆する断面凵型の化粧カバー材２と、壁取付け部材１と化粧カバー材２との間に配された防水パッキン３とからなっている。
【００１５】
壁取り付け部材１は建物壁面に取り付けられる平面部１１とその両側に立上がっている側壁１２とからなり平面部１１にはビス孔１３が設けられている。壁取り付け部材１はビス孔１３を用いて建物壁面（図示せず）にビス止めしてもよく、また接着剤を用いて取り付けても良いものである。
【００１６】
一方化粧カバー材２は壁取り付け部材１の平面部１１以外の全面を被覆する凵型の形状をしている。化粧カバー材２は表面の平板部２１とその両側にある側面部２２からなり、壁取り付け部材１と化粧カバー材２とは壁取り付け部材１の側壁１２の底部端縁付近に設けた凹溝１４と化粧カバー材２の側面部２２の端部に設けた突条２３とを嵌合して一体化される。この凹溝１４と突条２３とはどちらに設けても嵌合できる。そして化粧カバー材２を少し開いた状態で壁取り付け部材１を被覆するように化粧カバー材２を被せて手を放せば嵌合する。
【００１７】
壁取り付け部材１の側壁１２と化粧カバー材２の側面部２２との間には防水パッキン３が配される。防水パッキン３は壁取り付け部材１と化粧カバー材２を接着するものではない。しかし施工を容易化するために壁取り付け部材１の側壁１２の外面か若しくは化粧カバー材２の側面部２２の内面に予め貼着しておくと施工上都合が良い。この防水パッキン３は壁取り付け部材１の側壁１２と化粧カバー材２の側面部２２との嵌合面の略全長にわたって配されており、配管、配線収納部４に水が入るのが防止される。
【００１８】
図２に示すように、配管、配線収納部４に中仕切り５を設けることがある。中仕切り５は単に配管、配線収納部４を仕切るものである。この中仕切り５は壁取り付け部材１あるいは化粧カバー材２のいずれに設けても良いが、配管や配線をする都合からは壁取り付け部材１に設けるほうが好ましい。中仕切り５自体で左右の収納部４１、４１を独立空間とするものではない。すなわち中仕切り５自体は単に配管や配線の接触を防止しているのみである。
【００１９】
図２では壁取り付け部材１に設けた中仕切り５と嵌合する溝２４を化粧カバー材２に設けている。中仕切り５とこの溝２４が嵌合することで配管、配線収納部４の左右の収納部４１、４１が独立空間になるので雨樋とエアコンの排水管といった全く異なった配管６やあるいは配線７ケーブル等を配してもトラブルの生じることがない。
【００２０】
図３に示すものは配管、配線収納部４を三分割したものである。この場合中仕切りとしては断面Ｔ型の中仕切り５１が用いられているが中仕切り５１を組み込むときに奥に位置する配管６や手前に位置する配線７ケーブルを圧迫しないように壁取り付け部材１の側壁１２に、側壁１２の内面の適宜位置に突条１５を設けておく。それにより中仕切り５１は突条１５によって所定の位置に配され、化粧カバー材２を被覆することで安定した状態に設置される。
【００２１】
このように本発明の配管、配線ダクト等の収納体は壁取り付け部材１と化粧カバー材２との間に防水パッキン３があるために配管、配線収納部４に雨水やごみが入ることがない。配管、配線収納部４を複数に分割することで給排水の配管６や電線７等のケーブルといった性状が異なったものであっても独立した形で収納されるので防水被覆や化粧が不要となる。
【００２２】
また配管６や配線７ケーブルが一箇所に収納されるので建物の外観がすっきりとしたものとなり、メンテナンスを行う場合も容易にすることができるものである。
【図面の簡単な説明】
【００２３】
【図１】本発明に係る配管、配線ダクト等の収納体の概略を示す一部切欠き斜視図。
【図２】中仕切りとそれと嵌合する溝を設けた配管、配線ダクト等の収納体の断面図。
【図３】Ｔ型の中仕切りを配した配管、配線ダクト等の収納体の断面図。
【符号の説明】
【００２４】
１      壁取り付け部材
１１    壁取り付け部材の平面部
１２    壁取り付け部材の側壁
１３    ビス孔
１４    壁取り付け部材の底部に設けた凹溝
１５    中仕切りを受ける突条
２      化粧カバー材
２１    化粧カバー材の平板部
２２    化粧カバー材の側面部
２３    化粧カバー材の側壁部端部の突条
２４    中仕切りと嵌合する溝部
３      防水パッキン
４      配管、配線収納部
４１    中仕切りで区画された配管、配線収納部
５      中仕切り
５１    Ｔ型中仕切り
６      配管
７      配線
【図１】
2006348623.tif 000003
【図２】
2006348623.tif 000004
【図３】
2006348623.tif 000005